(57)【特許請求の範囲】
【請求項１】
内部キャビティを備えた容器構造を有し、キャビティは、該キャビティ中にパケット構造を貯蔵できる充分な寸法を有し、
前記パケット構造には孔が設けられ、
容器構造はキャビティへの開口を備え、該開口を通してパケット構造をキャビティから取出すことができ、
前記容器構造は前記キャビティを形成する内面を備え、
前記容器構造に連結された引裂き構造を更に有し、前記引裂き構造は前記内面に連結された支柱構造を備え、該支柱構造は前記孔を通って延び、パケット構造は、キャビティから取出されるときに引裂き構造に接触して、パケット構造の一部が引裂かれ、
前記キャビティは、パケット構造を、支柱構造に対して垂直になるように収容し、
前記開口は細長くかつ第１端部および第２端部を備え、
前記支柱構造は、第２端部よりも第１端部に近接するように前記開口に対して配置され、
前記容器構造は前記開口と交差するカットアウトを備え、該カットアウトは第１端部よりも第２端部に近接して配置されており、
前記キャビティ内に貯蔵されるパケット構造を備え、
前記パケット構造には外側引裂きノッチが形成されており、該外側引裂きノッチは、前記支柱構造が外側引裂きノッチと、パケット構造を引裂くべく支柱構造から引っ張られる前記パケット構造の一セクションとの間に配置されるように前記パケット構造に形成されており、前記外側引裂きノッチは、前記パケット構造がこれを引裂くべく支柱構造から引っ張られる方向に平行である、
ことを特徴とするパケット構造用パケットディスペンサを有するキット。
【請求項２】
前記パケット構造には内側引裂きノッチが形成されており、該内側引裂きノッチは、前記支柱構造と、パケット構造を引裂くべく支柱構造から引っ張られるパケット構造の一セクションとの間に配置されるように前記パケット構造に形成されており、前記内側引裂きノッチは、前記パケット構造がこれを引裂くべく支柱構造から引っ張られる方向に平行である、
請求項１記載のキット。
【請求項３】
前記容器構造は前記キャビティを形成する内面を備え、前記引裂き構造は前記内面に連結されたナイフを有している、
請求項１又は２記載のキット。
【請求項４】
前記開口は細長くかつ第１端部および第２端部を有し、前記ナイフ構造は、第２端部より第１端部に近接して配置されるように前記開口に対して配置されている、
請求項３記載のキット。
【請求項５】
前記ナイフ構造は、中立位置から引裂き位置へと移動できるように前記内面に連結されており、前記パケット構造は、ナイフ構造が引裂き位置にあるときにナイフ構造と接触し、前記パケット構造は前記開口を通して引出され、前記ナイフ構造は、前記中立位置にあるときに、ナイフ構造とパケット構造との間にクリアランスが形成されるように、パケット構造に対して配置されている、
請求項３記載のキット。
【請求項６】
前記ナイフ構造は、前記引裂き位置にあるときにナイフ構造の一部によりまたは前記容器の内面により前記中立位置に強制的に押されるように、前記内面に連結されている、
請求項３記載のキット。
【請求項７】
前記ナイフ構造は、前記内面に連結されたベースを備えた細長ブレード構造を有し、該ブレード構造は前記ベースから延びている切刃を備え、前記ブレード構造は、パケット構造が前記キャビティから取出されるときに前記切刃がパケット構造に接触して該パケット構造を引裂くように、前記内面に対して配向されている、
請求項３記載のキット。
【請求項８】
パケットディスペンサからパケット構造を取出す間にパケット構造を引裂く方法において、
パケットディスペンサは、内部キャビティを備えた容器構造を有し、前記キャビティはこの中にパケット構造を貯蔵できる充分な寸法を有し、前記パケット構造には孔が設けられ、容器構造は前記キャビティへの開口を備え、前記キャビティを形成する内面を備え、該パケットディスペンサは容器構造に連結された引裂き構造を備え、該引裂き構造は前記内面に連結された支柱構造を備え、該支柱構造は前記孔を通って延び、
前記キャビティは、パケット構造を、支柱構造に対して垂直になるように収容し、
前記開口は細長くかつ第１端部および第２端部を備え、
前記支柱構造は、第２端部よりも第１端部に近接するように前記開口に対して配置され、
前記容器構造は前記開口と交差するカットアウトを備え、該カットアウトは第１端部よりも第２端部に近接して配置されており、
前記キャビティ内に貯蔵されるパケット構造を備え、
前記パケット構造には外側引裂きノッチが形成されており、該外側引裂きノッチは、前記支柱構造が外側引裂きノッチと、パケット構造を引裂くべく支柱構造から引っ張られる前記パケット構造の一セクションとの間に配置されるように前記パケット構造に形成されており、前記外側引裂きノッチは、前記パケット構造がこれを引裂くべく支柱構造から引っ張られる方向に平行であり、
前記パケット構造が引裂き構造に接触して引裂かれるように、パケット構造を前記開口を通して引っ張り、パケット構造を前記キャビティから取出す段階を有している、
ことを特徴とする方法。
【請求項９】
前記パケット構造の一セクションが開口を通るように、前記パケット構造を前記支柱構造の回りでピボット運動させる段階と、
前記パケット構造が前記支柱構造から離れて引裂かれるように、前記パケット構造を前記支柱構造から離れるように充分な力で引っ張る段階とを有する、
請求項８記載の方法。
【請求項１０】
前記引っ張る段階により、前記パケット構造の第１セクションおよび第２セクションが形成され、第１および第２セクションは、前記孔と交差する対応内縁部を有し、
第２セクションに対して第１セクションを変位させて前記パケット構造を引裂き、前記キャビティ内にアクセスできるようにする段階を更に有する、
請求項９記載の方法。
【請求項１１】
前記引裂き構造が、前記内面に連結されたナイフ構造を備え、
該ナイフ構造を、前記開口とキャビティ内のパケット構造との間に位置決めする段階と、
前記パケット構造が前記ナイフ構造に接触するように、前記開口を通して前記パケット構造を引っ張る段階とを有し、該引っ張る段階は、前記パケット構造が前記開口を通して引っ張られる間に前記ナイフ構造により引裂かれるように充分な力で行う、
請求項８記載の方法。
【請求項１２】
前記ナイフ構造を引裂き位置に移動させる段階と、
前記ナイフ構造が前記パケット構造に接触して、該パケット構造を引裂くように、前記開口を通して前記パケット構造を引っ張る段階と、
前記ナイフ構造が引裂き位置にあるときに前記ナイフ構造を解放して、前記ナイフ構造または容器表面の一部が、前記ナイフ構造を強制的に中立位置に向かわせて、前記ナイフ構造と前記パケット構造との間にクリアランスが形成されるようにする段階とを更に有する、
請求項１１記載の方法。
【請求項１３】
前記引っ張る段階により前記パケット構造の端部構造が形成され、該端部構造および前記パケット構造および前記パケット構造は、これらの両構造の間の結合点で互いに交差する対応内縁部を有し、
前記パケット構造に対して前記端部構造を変位させて、前記パケット構造から前記端部構造を引裂き、前記キャビティ内にアクセスできるようにする段階を更に有する、
請求項１１記載の方法。
【請求項１４】
前記パケット構造の孔を有し、該孔は中心を有し、
前記孔と交差するノッチを有し、該ノッチは長手方向中心軸線を有し、前記ノッチは、前記長手方向中心軸線が前記中心からオフセットするように前記孔に対して配向されている、
ことを特徴とするパケット構造。
【請求項１５】
前記ノッチは第１引裂きノッチを有し、
前記パケット構造は前記孔と交差する第２引裂きノッチを備え、該第２引裂きノッチは長手方向中心軸線を有し、第２引裂きノッチは、この長手方向中心軸線が前記中心からオフセットするように前記孔に対して配向されており、
前記第２引裂きノッチは、前記第１引裂きノッチの長手方向中心軸線が前記第２引裂きノッチの長手方向中心軸線に対して同軸線上にあるように前記第１引裂きノッチに対して配向されている、
請求項１４記載のパケット構造。
【発明の詳細な説明】
【技術分野】
【０００１】
本特許出願は、２００６年６月３０日付米国仮特許出願第６０／８１７，９４１号の優先権および利益を主張する。尚、この米国仮特許出願第６０／８１７，９４１号は、本願に援用する。
【０００２】
本発明は、広くはパケットディスペンサに関し、より詳しくは、医薬が含浸された消化可能なストリップのようなストリップを収容するパケット（小さい包み）が貯蔵されるパケットディスペンサに関する。本発明のパケットディスペンサは、パケットをパケットディスペンサから取出すときに、パケットに裂け目を形成する。
【背景技術】
【０００３】
医薬および同様な物質は、一般に、比較的正確な量を摂取する必要がある。比較的正確な量で摂取できるように医薬を供給する１つの技術は、消化可能なストリップに比較的正確な量の医薬を含浸することである。使用者は、ストリップを口に入れ、比較的正確な量の医薬を受入れる。
【０００４】
このように含浸されたストリップは、使用者により摂取される前に、貯蔵のためにパケット内に収容される。このようなパケットは、ストリップに保護を与えかつ使用者により摂取される前に、コントロールされた環境内に医薬を維持する。パケットは、この中のストリップにアクセスするため、一般に、使用者が手で引裂くことにより開かれる。
【０００５】
パケットは、子供が開けることを困難にして、パケットにチャイルドプルーフ機能（child-resistance）をもたせるのが好ましい。この特徴をパケットに付与することにより、子供がパケット内のストリップにアクセスする可能性が低減される。ストリップに含浸された医薬または他の物質には、子供が直接アクセスできないようにすることが多くの場合に望まれている。これは、通常、このような医薬または他の物質を適正使用することが子供の能力を超えているためである。
【発明の概要】
【発明が解決しようとする課題】
【０００６】
パケットにチャイルドプルーフ機能を付与することを望むと、パケットを大人が開けることも困難になる。例えば、パケットには、この中のストリップにアクセスするのに必要とされる、手による引裂にかなりの抵抗がある強い材料を用いてチャイルドプルーフ機能を付与することができる。パケットの手による引裂きに対する抵抗は、パケットを開けようと試みる大人にも過度の抵抗を与えてしまう。しかしながら、一般に、大人はパケットを開けることができるようにする必要がある。したがって、パケットの形状および製造は困難である。
【課題を解決するための手段】
【０００７】
本発明のパケットディスペンサは、内部キャビティを備えた容器構造を有している。キャビティは、この中にパケット構造を貯蔵できる充分な寸法を有している。容器構造はキャビティへの開口を備え、該開口を通してパケット構造をキャビティから取出すことができる。引裂き構造は、パケット構造がキャビティから取出されるときにパケット構造に接触してその一部を引裂くように容器構造に連結されている。
【０００８】
引裂き構造は、手で引裂くことが困難なパケット構造の手による引裂きを容易にする。したがって、パケット構造は、子供が開くことは充分に困難であり、チャイルドプルーフの要望を満たすことができる。また、引裂き構造は、子供が開くことが困難に構成されており、チャイルドプルーフ機能を更に高めている。しかしながら、引裂き構造は、大人が容易に操作してパケット構造の一部を引裂くことができるように構成できる。引裂きは、パケット構造の手による引裂きを開始する部位をパケット構造に付与する。このため、引裂き開始のための手段が何ら設けられていないパケット構造を手により引裂かなくてはならないものに比べ、手による引裂きが容易になる。パケット構造を手により引裂くことにより、パケット構造内に収容されたストリップにアクセスできる。したがって、本発明のパケットディスペンサは、チャイルドプルーフ機能を付与すると同時に、大人がパケット構造を開くことを可能にする。
【図面の簡単な説明】
【０００９】
【図１】本発明のパケットディスペンサの斜視図であり、ストリップ構造を収容するパケット構造が貯蔵された容器構造を備えたパケットディスペンサを示すものである。
【図２】図１のパケットディスペンサの側面図であり、容器構造内のパケット構造を取出すための開口が設けられた容器構造を示すものである。
【図３】パケットディスペンサおよび容器構造内に配置されたパケット構造の、図２の３−３線で示す平面に沿う横断面図であり、パケット構造の孔を通って延びている支柱構造を備えたパケットディスペンサを示すものである。
【図４】図１の容器構造の底構造の平面図であり、容器構造から頂構造が取外された底構造、および支柱構造がパケット構造の孔を通って延びるように底構造に配置されたパケット構造を示すものである。
【図５】図１の容器構造内に配置されたパケット構造の１つの正面図であり、孔と交差する外側および内側の引裂きノッチを備えたパケット構造を示すものである。
【図６】図１のパケットディスペンサの斜視図であり、容器構造からパケット構造を取出すときに２つの位置にある１つのパケット構造、および容器構造に対してピボット運動されたパケット構造を示すものである。
【図７】図１のパケットディスペンサの他の実施形態の斜視図であり、パケットディスペンサが、ストリップ構造を収容するパケット構造が収容される容器構造を有し、かつ押下げることができるナイフ構造を有するものを示すものである。
【図８】図７のパケットディスペンサの側面図であり、容器構造内のパケット構造を取出すための開口が設けられた容器構造を示すものである。
【図９】図８の９−９線に沿う、パケットディスペンサおよび容器構造内に配置されたパケット構造の横断面図であり、容器構造からパケット構造を取出すときにパケット構造と係合すべく押下げ位置にあるナイフ構造を示すものである。
【図１０】図７の容器構造の頂構造の平面図であり、ブレード構造を示すため、右側縁部の回りでピボット運動されかつ底構造から分離された頂構造を示すものである。
【図１１】図７のパケットディスペンサの斜視図であり、容器組立体からパケット構造を取出すときの２つの異なる位置にある１つのパケット構造、およびナイフ構造が押下げ位置にあるところを示すものである。
【発明を実施するための形態】
【００１０】
本発明の上記特徴および他の特徴は、添付図面を参照して述べる本発明の特定実施形態についての以下の説明から、一層完全に理解される。
【００１１】
添付図面の幾つかに亘って、同じ参照番号は同じ部品を示すものである。
図面、特に図１に示すように、パケットディスペンサ２０は容器構造２２を有し、該容器構造２２は、内面２６および外面２７を備えた頂構造２４を有している。容器構造２２は、内面３０および外面３１を備えた底構造２８を有している。頂構造２４および底構造２８は互いに取付けられ、これにより、内面２６、３０が容器構造２２の内部キャビティ３２を形成する。容器構造２２は、キャビティ３２への細長開口３４を有している。開口３４は、第１端部３６および第２端部３８を有している。
【００１２】
パケットディスペンサ２０は、支柱構造４２により形成される引裂き構造４０を有している。図３に示すように、支柱構造４２は、底構造２８の内面３０に連結されている。支柱構造４２と底構造２８との連結は、図３に示すように一体連結にすることができる。支柱構造４２と内面２６との連結の他の実施形態も可能であり、例えば接着により行うこともできる。支柱構造４２は、第２端部３８よりも第１端部３６に近接しかつ開口３４に隣接して配置されている。容器構造２２は、図４に示すように、支柱構造４２に対面する弧状凹部４４を有している。
【００１３】
容器構造２２は、頂構造２４にＵ形カットアウト４６を有している。図１に示すように、カットアウト４６は開口３４と交差しておりかつ第１端部３６よりも第２端部３８に近接して配置されている。
【００１４】
パケットディスペンサ２０は、１つ以上のパケット構造４８を有するキット内に含められる。各パケット構造４８は、キャビティを備えた包囲構造５０と、キャビティ内に収容されたストリップ構造とを有している。各包囲構造５０は対向する側方層を有し、これらの層の間に包囲構造のキャビティが配置されている。各包囲構造５０は、横方向側縁部５１、５２と、長手方向側縁部５３、５４とを有している。
【００１５】
パケット構造４８は、中心５７をもつ孔５６を有している。孔５６は、包囲構造５０の両層および包囲構造５０内のストリップ構造を貫通して延びている。パケット構造４８は、包囲構造５０の両層および包囲構造内のストリップ構造に第１引裂きノッチ５８を有している。第１引裂きノッチ５８は、孔５６と側縁部５１との間に配置されている。第１引裂きノッチ５８は長手方向中心軸線を有し、かつ該長手方向中心軸線が中心５７からオフセットするように、孔５６に対して配向されている。
【００１６】
パケット構造４８は、包囲構造５０の両層および包囲構造内のストリップ構造に第２引裂きノッチ６２を有している。第２引裂きノッチ６２は、孔６２と側縁部５２との間に配置されている。第２引裂きノッチ６２は長手方向中心軸線を有し、かつ該長手方向中心軸線が中心５７からオフセットするように、孔５６に対して配向されている。第２引裂きノッチ６２は、両引裂きノッチ５８、６２の長手方向中心軸線が同軸線上にあるように、第１引裂きノッチ５８に対して配向されている。両側縁部５１、５２に対する第１および第２引裂きノッチ５８、６２の位置は、第１引裂きノッチが第２引裂きノッチに対して外側引裂きノッチ５８となるようにする。また、両側縁部５１、５２に対する第１および第２引裂きノッチ５８、６２の位置は、第２引裂きノッチが外側引裂きノッチ５８に対して内側引裂きノッチ６２となるようにする。
【００１７】
図５には、パケット構造４８の好ましい実施形態（その寸法を含む）が示されている。パケット構造４８の寸法は下記の通りである。
ａ−３．５０００インチ
ｂ−１．７５００インチ
ｃ−Ｒ０．０９３８インチ
ｄ−０．２８１３インチ
ｅ−０．２８１３インチ
ｆ−０．２５００インチ
ｇ−０．２７２４インチ
【００１８】
キャビティ３２は、この中に１つ以上のパケット構造４８を貯蔵できる充分な寸法を有している。１つ以上のパケット構造４８が、図４に示すように、支柱構造４２が１つ以上の孔５６を通るようにしてキャビティ３２内に貯蔵される。
【００１９】
パケットディスペンサ２０は、カットアウト４６からアクセスできるパケット構造４８の一部を掴む方法にしたがって操作される。この掴みは、カットアウト４６からアクセスできる容器構造２２のキャビティ３２内のパケット構造４８の一部に接触する使用者の手の親指または他の指により行われる。支柱構造４２に対してパケット構造がピボット運動できるようにする、使用者の指とパケット構造４８との摩擦接触を付与するには、掴むだけで充分である。ピボット運動は、容器構造２２に対する一定の角度方向において、図６に示すように、パケット構造４８の一部を、開口３４を通してキャビティ３２の外に出すためのものである。パケット構造４８をピボット運動させると、孔５６に隣接するパケット構造４８のコーナが弧状凹部４４内に入る。
【００２０】
容器構造２２は、使用者の一方の手で掴まれる。より詳しくは、容器構造２２は、使用者の親指を外面２７、３１の一方に接触させかつ同じ手の他の指を外面２７、３１の他方に接触させることにより掴まれる。この手の親指および他の指を外面２７、３１に対して一緒に押付けることにより容器構造２２が掴まれる。容器構造２２のキャビティ３２から外に出ているパケット構造４８の一部が、使用者の他方の手で、一般的に親指と他の指との間で掴まれる。
【００２１】
使用者が、両手を互いに引離すと、パケット構造４８がパケットディスペンサ２０に対して変位され、これにより包囲構造５０が、支柱構造４２により形成された引裂き構造４０と接触する。パケット構造４８は、充分な力で支柱構造４２から引離され、これにより包囲構造５０が支柱構造４２から引離される。
【００２２】
パケット構造４８は、容器構造２２に対して或る方向（この方向は、外側引裂きノッチ５８に対して平行な方向である）に引っ張られる。したがって、引裂かれる包囲構造５０のセクションは、外側引裂きノッチ５８に一致する。この一致方向は包囲構造５０を引裂く方向であり、包囲構造５０の引裂きは、パケット構造４８を支柱構造４２から、外側引裂きノッチ５８に一致する好ましい方向に引離すことにより行われる。パケット構造４８をキャビティ３２から完全に取出すと、図６に示すように外側引裂きノッチ５８の全部が引裂かれる。
【００２３】
外側引裂きノッチ５８に一致する包囲構造５０の引裂きは、包囲構造に設けられた外側引裂きノッチにより行われ、このために、支柱構造４２は、外側引裂きノッチと、包囲構造を引裂くために支柱構造から引っ張られるパケット構造４８の一セクションとの間に配置されている。また、外側引裂きノッチ５８に一致する包囲構造５０の引裂きは、包囲構造５０を引裂くために支柱構造４２から引っ張られる方向に平行な外側引裂きノッチにより行われる。
【００２４】
容器構造２２からパケット構造４８を引っ張ることにより、パケット構造がキャビティ３２から完全に取出され、これにより、支柱構造４２からの包囲構造５０の完全な引裂きがなされたことになる。包囲構造５０が引裂かれると、図６に示すように、包囲構造の第１セクション６６および第２セクション６８が形成される。第１および第２セクション６６、６８は、孔５６と交差する対応内縁部６９、７０を有している。
【００２５】
第１セクション６６は、使用者の一方の手、例えば一方の手の親指と他の指との間で掴まれる。第２セクション６８も、使用者の他方の手、例えば他方の手の親指と他の指との間で掴まれる。使用者の両手および該両手で掴まれた第１および第２セクション６６、６８は、第２セクションに対して第１セクションを変位させるべく相対変位される。第１セクション６６と第２セクション６８との相対変位により包囲構造５０が更に引裂かれ、包囲構造５０内のキャビティ内へのアクセスが可能になる。
【００２６】
第２セクション６８に対する第１セクション６６の変位により引裂かれる包囲構造５０のセクションは、内側引裂きノッチ６２に一致している。この一致する方向は包囲構造５０の引裂きを導くものであり、これは、内側引裂きノッチ６２と一致しかつ包囲構造内のキャビティと交差する好ましい方向での第２セクション６８に対する第１セクション６６の変位から生じるものである。
【００２７】
包囲構造５０の引裂きと内側引裂きノッチ６２との一致は、内側引裂きノッチ６２が、支柱構造４２と、包囲構造を引裂くべく支柱構造から引っ張られる包囲構造のセクションとの間に配置されることにより得られる。また、包囲構造５０の引裂きと内側引裂きノッチ６２との一致は、内側引裂きノッチ６２が、包囲構造を引裂くべく包囲構造を支柱構造から引っ張る方向と平行であることにより得られる。
【００２８】
第２セクション６８に対して第１セクション６６を変位させることにより包囲構造５０の引裂きが完了した後、例えば包囲構造の対向表面を横方向に分離させることにより、包囲構造内のキャビティ内のストリップ構造へのアクセスが可能になる。次に、ストリップ構造が、包囲構造５０内のキャビティから取出される。
【００２９】
図７には、パケットディスペンサ２０ａの他の実施形態が示されている。図７では、図１ないし図６に示した部品と一致する部品は、図１ないし図６において使用した参照番号に添字「ａ」を付した参照番号で示されている。この実施形態では、パケットディスペンサ２０ａは容器構造２２ａを有し、該容器構造２２ａは、内面２６ａおよび外面２７ａを備えた頂構造２４ａを有している。容器構造２２ａは、内面３０ａおよび外面３１ａを備えた底構造２８ａを有している。頂構造２４ａおよび底構造２８ａは互いに取付けられ、これにより、内面２６ａ、３０ａが容器構造２２ａの内部キャビティ３２ａを形成する。容器構造２２ａは、キャビティ３２ａへの細長開口３４ａを有している。開口３４ａは、第１端部３６ａおよび第２端部３８ａを有している。
【００３０】
パケットディスペンサ２０ａは、ナイフ構造７２により形成された引裂き構造４０ａを有している。ナイフ構造７２は、図９に示すように、頂構造２４の内面２６に連結されている。ナイフ構造７２は、開口３４ａに隣接して配置されておりかつ第２端部３８ａよりも第１端部３６ａに近接して配置されている。
【００３１】
ナイフ構造７２は、内面２６ａに連結されたベース７６を備えた細長ブレード構造７４により形成されている。ブレード構造７４は金属材料で形成されており、他の実施形態ではブレード構造に他の材料を使用できる。ブレード構造７４は、図９に示すように、切刃７８を有し、該切刃７８はベース７６から延びかつ尖端部に終端している。切刃７８は尖鋭化されている。ブレード構造７４は、切刃７８が、内面２６ａから該内面に対してほぼ垂直な方向に延びるように配向されている。ブレード構造７４は更に、切刃７８が、キャビティ３２ａ内に貯蔵されるパケット構造４８ａの側縁部５３ａを向くように配向されている。
【００３２】
ブレード構造７４は、タブ構造８０を形成している頂構造２４ａの部分に連結されている。タブ構造８０は外面８１を有している。図１０に示すように、タブ構造８０は外周部を有し、該外周部は、頂構造２４ａを貫通している半円形ギャップ８２により形成されている。ギャップ８２の端部は、タブ構造８０のヒンジ構造８４を形成する頂構造２４ａの部分に終端している。ヒンジ構造８４は頂構造２４ａの一部に配置されており、頂構造２４ａの材料は弾性を有している。したがって、タブ構造８０は、ヒンジ構造８４の回りで頂構造２４ａに対してピボット運動できる。これにより、タブ構造８０の外面８１に充分大きい横方向の力が加えられると、タブ構造８０は頂構造２４ａに対して内方に変位される。横方向の力は、頂構造２４ａに対してほぼ垂直な方向を有している。
【００３３】
ヒンジ構造８４が弾性を有しているため、タブ構造８０に加えられている横方向力が除去されると、タブ構造８０は、この中央平面が頂構造２４ａの中央平面にほぼ一致する方向に戻される力を受ける。横方向力がタブ構造８０から除去されると、タブ構造８０は中立位置を占め、タブ構造８０の中立位置が図９に示されている。
【００３４】
図７および図９に示すように、タブ構造８０は、頂構造２４ａの外面２７ａに形成された一連の細長凹部８６を有している。凹部８６は、ヒンジ構造８４に対してほぼ平行に配向されている。
【００３５】
容器構造２２ａの頂構造２４ａには、Ｕ形カットアウト４６ａが設けられている。カットアウト４６ａは、図７および図８に示すように、開口３４ａと交差しかつ第１端部３６ａおよび第２端部３８ａからほぼ等距離を隔てて配置されている。
【００３６】
パケットディスペンサ２０ａは、１つ以上のパケット構造４８ａを有するキット内に含まれる。各パケット構造４８ａは、キャビティを備えた包囲構造５０ａと、キャビティ内に収容されたストリップ構造とを有している。各包囲構造５０ａは対向する側方層を有し、これらの層の間に包囲構造のキャビティが配置されている。各包囲構造５０ａは、横方向側縁部５１ａ、５２ａと、長手方向側縁部５３ａ、５４ａとを有している。キャビティ３２ａは、１つ以上のパケット構造４８ａを貯蔵するのに充分な寸法を有している。
【００３７】
パケットディスペンサ２０ａは、カットアウト４６ａからアクセスできるパケット構造４８ａの一部を掴む方法にしたがって操作される。パケット構造４８ａのこの部分は、使用者の一方の手で、一般には一方の手の親指と他の指との間で掴まれる。図１１に示すように開口３４ａを通してキャビティ３２ａからパケット構造４８ａを引っ張り出すべく使用者の指とパケット構造４８ａとの摩擦接触を付与するには、掴むだけで充分である。
【００３８】
パケット構造４８ａが開口３４ａを通して最初に引っ張り出されるときは、ナイフ構造７２は中立位置にある。ナイフ構造７２の中立位置では、ブレード構造７４の端部（切刃）７８とパケット構造４８ａとの間にクリアランスが形成される。したがって、図１１に示すように、パケット構造４８ａが開口３４ａを通って最初に引っ張り出される間は、ブレード構造７４がパケット構造４８ａに接触することはない。
【００３９】
パケット構造４８ａを、開口３４ａを通して最初に引出した後、ナイフ構造７２が引裂き位置（この位置では、ブレード構造７４の端部が包囲構造５０ａを穿刺する）に移動されかつ包囲構造５０ａの全厚を貫通するように変位される。中立位置から引裂き位置へののナイフ構造７２の移動は、使用者が他方の手で容器構造２２ａおよびタブ構造８０を掴むことにより行われる。より詳しくは、タブ構造８０および容器構造２２ａは、タブ構造８０の外面８１に接触する使用者の他方の手の親指と、底構造２８ａの外面３１ａに接触する使用者のこの手の指とにより掴まれる。タブ構造６０および外面３１ａに接触する親指および他の指は、ナイフ２２を引裂き位置に移動させる力を加える。
【００４０】
タブ構造８０の外面８１に対する使用者の親指のグリップは、外面８１に不均一輪郭を付与する凹部８６により容易になる。したがって、外面８１に対する親指の滑りが妨げられる。また、凹部８６はタブ構造８０の視覚表示を与え、使用者によるタブ構造８０の位置確認を容易にする。
【００４１】
ナイフ構造７２を引裂き位置に移動させた後、パケット構造４８ａをキャビティ３２ａから開口３４ａを通して引っ張ることが再開される。パケット構造４８ａは、開口３４ａを通して充分な力で引出され、これにより、包囲構造を貫通するブレード構造７４の切刃７８に対して包囲構造５０ａが接触して、図１１に示すように包囲構造の引裂きが行われる。包囲構造５０ａの引裂きは、切刃７８が設けられたブレード構造７４をパケット構造４８ａに対面させることにより行われる。したがって、パケット構造４８ａは、開口３４ａを通してキャビティ３２ａ内から引出されるとき、最初に切刃７８と接触する。
【００４２】
タブ構造８０は、パケット構造４８ａを開口３４ａを通してキャビティ３２ａ内から引出す間中、引裂き位置に連続して保持される。引出しは、パケット構造４８ａがキャビティ３２ａから完全に取出されるまで充分に行う。したがって、ナイフ構造７２により付与される包囲構造５０ａの引裂きは、図１１に示すように、側縁部５４ａまで連続的に形成される。
【００４３】
パケット構造４８ａが開口３４ａを通ってキャビティ３２ａから完全に取出された後、使用者の手の親指が、タブ構造８０の外面８１から離される。したがって、ナイフ構造７２が引裂き位置から解放され、その中立位置に戻される。ナイフ構造７２はヒンジ構造８４により中立位置に戻される。すなわち、ヒンジ構造８４の弾性により、ナイフ構造７２が引裂き位置から中立位置に強制的に戻される。
【００４４】
包囲構造５０ａが引裂かれると、図１１に示すように、包囲構造の端部構造８８が形成される。端部構造８８および包囲構造５０ａは、これらの両構造８８、５０ａの間の結合点で互いに交差する対応内縁部９０、９２を有している。
【００４５】
端部構造８８は、使用者の一方の手により、例えば一方の手の親指と他の指との間で掴まれる。包囲構造５０ａは、使用者の他方の手により、例えば他方の手の親指と他の指との間で掴まれる。使用者の両手および両手で掴まれたそれぞれの端部構造８８および包囲構造５０ａは、包囲構造に対して端部構造を変位させるべく、相対的に変位される。端部構造８８と包囲構造５０ａとを相対変位させると、これらの両構造８８、５０ａが更に引裂かれ、包囲構造のキャビティ内へのアクセスが可能になる。
【００４６】
包囲構造５０ａに対して端部構造８８を変位させることにより包囲構造５０ａの引裂きが完了した後、例えば包囲構造の対向面を横方向に分離させることにより、包囲構造のキャビティ内のストリップ構造へのアクセスが可能になる。次に、ストリップ構造が、包囲構造５０ａのキャビティから取出される。
【００４７】
パケットディスペンサ２０ａを操作する方法の他の実施形態も可能であり、この方法では、パケット構造４８ａを開口３４ａを通してキャビティ３２ａ内から引出す前に、ナイフ構造７２ａが中立位置から引裂き位置に移動される。したがって、ブレード構造７４ａは、包囲構造５０ａの側縁部５３ａにより最初に接触される。パケット構造４８ａは、充分な力で開口３４ａを通して引き出され、これにより包囲構造５０ａがブレード構造７４により引裂かれる。ナイフ構造７２は、パケット構造４８ａが開口３４ａを通してキャビティ３２ａから引出される間中、引裂き位置に連続して保持される。したがって、包囲構造５０ａは、側縁部５３ａから側縁部５４ａまで連続的に引裂かれる。両側縁部５３ａ、５４ａ間の連続的引裂きにより、ストリップ構造を収容している包囲構造５０ａから端部構造８８が完全に切断される。したがって、包囲構造５０ａにはもはや端部構造８８が連結されていない。次に、パケット構造４８ａが、開口３４ａを通してキャビティ３２ａから完全に取出される。これにより、包囲構造５０ａのキャビティ内のストリップ構造にアクセスするのに、端部構造８８を手で引裂く等のような包囲構造５０ａの更なる引裂きは不要になる。
【００４８】
以上、好ましい実施形態に関連して本発明を説明したが、説明した発明概念の思想および範囲内で多くの変更を行うことができる。したがって、本発明は開示した実施形態に限定されるものではなく、完全な範囲は特許請求の範囲の記載により定められるものである。
【図１】
0005500581.tif 000002
【図２】
0005500581.tif 000003
【図３】
0005500581.tif 000004
【図４】
0005500581.tif 000005
【図５】
0005500581.tif 000006
【図６】
0005500581.tif 000007
【図７】
0005500581.tif 000008
【図８】
0005500581.tif 000009
【図９】
0005500581.tif 000010
【図１０】
0005500581.tif 000011
【図１１】
0005500581.tif 000012